(57)【要約】【課題】  ＶＯＤの配信を促進する。【解決手段】画像情報供給システム１は、画像情報記憶手段３と、上記画像情報記憶手段３に記憶されたビデオデータを特定するビデオデータ特定情報を記憶する画像特定情報記憶手段５と、ビデオ画像を表示する画像表示手段７と、上記画像情報記憶手段３に記憶されているビデオデータに基づいて、上記画像表示手段７に表示するビデオ番組を作成する画像作成手段９と、上記画像特定情報記憶手段５に記憶されているビデオデータ特定情報に基づいて、上記画像作成手段９が作成するビデオ番組の提供情報を作成する画像提供情報作成手段１１と、上記画像作成手段９によって作成したビデオ番組画像４３と、上記画像提供情報作成手段１１によって作成した提供情報の２次元バーコード４５とを上記画像表示手段７に表示させる提供画像表示手段１３とを備える。【選択図】図１
2006333332.tif 000002
【特許請求の範囲】
【請求項１】
画像情報を記憶する画像情報記憶手段と、
上記画像情報記憶手段に記憶された画像情報を特定する画像特定情報を記憶する画像特定情報記憶手段と、
画像を表示する画像表示手段と、
上記画像情報記憶手段に記憶されている画像情報に基づいて、上記画像表示手段に表示する画像を作成する画像作成手段と、
上記画像特定情報記憶手段に記憶されている画像特定情報に基づいて、上記画像作成手段が作成する画像の提供情報を作成する画像提供情報作成手段と、
上記画像作成手段によって作成した画像と、上記画像提供情報作成手段によって作成した提供情報とを上記画像表示手段に表示させる提供画像表示手段と、
上記画像表示手段によって表示された提供情報に基づいて作成された取得申込情報を受信する取得申込情報受信手段と、
上記取得申込情報受信手段によって受信した取得申込情報に基づいて、上記画像情報記憶手段に記憶されている画像情報を特定する画像情報特定手段と、
上記画像情報特定手段によって特定された画像情報を上記画像情報記憶手段から読み込んで送信する画像情報送信手段と
を備える画像情報供給システム。
【請求項２】
上記画像表示手段によって表示された提供情報に基づいて、取得申込情報を作成する取得申込情報作成手段と、
上記取得申込情報作成手段が作成した取得申込情報を送信する取得申込情報送信手段と、
上記画像情報送信手段によって送信された画像情報を受信する画像情報受信手段と
を備えることを特徴とする請求項１に記載の画像情報供給システム。
【請求項３】
上記画像情報受信手段によって受信した画像情報を記憶する画像情報記憶手段と、
上記画像情報記憶手段に記憶した画像を表示する記憶画像表示手段と
を備えることを特徴とする請求項２に記載の画像情報供給システム。
【請求項４】
上記画像情報受信手段によって受信した画像情報を表示する画像情報表示手段を備えることを特徴とする請求項２、又は請求項３に記載の画像情報供給システム。
【請求項５】
上記画像情報記憶手段に記憶されている画像情報に基づいて、上記画像表示手段に表示する画像を記憶する第２画像情報記憶手段と、
上記第２画像情報記憶手段に記憶されている画像情報に基づいて、上記画像表示手段に表示する画像を作成する第２画像作成手段と、
上記画像特定情報記憶手段に記憶されている画像特定情報に基づいて、上記第２画像作成手段が作成する画像の提供情報を記憶する第２画像特定情報記憶手段と、
上記第２画像特定情報記憶手段に記憶されている画像特定情報に基づいて、上記第２画像作成手段が作成する画像の提供情報を作成する第２画像提供情報作成手段と、
上記第２画像作成手段によって作成した画像と、上記第２画像提供情報作成手段によって作成した提供情報とを上記画像表示手段に表示させる第２提供画像表示手段と
を備えることを特徴とする請求項１ないし請求項４の何れかに記載の画像情報供給システム。
【請求項６】
上記画像提供情報作成手段によって作成される提供情報は、上記画像表示手段に表示される画像情報の継続開始情報を有し、
上記画像表示手段によって表示された提供情報に基づいて作成された取得申込情報は、上記画像表示手段に表示された画像情報の継続開始情報を有することを特徴とする請求項１ないし請求項５の何れかに記載の画像情報供給システム。
【請求項７】
上記画像情報特定手段によって特定された画像情報は、上記画像表示手段に表示された画像情報の継続開始情報に基づいて示される継続開始位置情報を有し、
上記画像情報送信手段によって上記画像情報記憶手段から読み込んで送信される画像情報は、上記継続開始位置情報で示される継続開始位置から提供されることを特徴とする請求項６に記載の画像情報供給システム。
【請求項８】
上記画像情報の継続開始情報は、上記画像表示手段に現在表示されている画像情報の開始からの経過時間、画像データ番号、チャプター番号、シーン番号、又は情報データ番号を示すことを特徴とする請求項６、又は請求項７に記載の画像情報供給システム。
【請求項９】
上記画像情報送信手段によって送信される継続開始位置は、上記取得申込情報の作成時点に、上記画像表示手段によって表示されていた画像情報の開始からの経過時間、画像データ番号、チャプター番号、シーン番号、又は情報データ番号に基づいて決定されることを特徴とする請求項７、又は請求項８に記載の画像情報供給システム。
【請求項１０】
上記提供画像表示手段が表示する提供情報は、提供情報の内容をコード化し、該コードを図柄で表現したコード図柄であり、
上記画像表示手段によって表示された提供情報に基づいて作成された取得申込情報は、上記コード図柄を光学的に読み取って検出したコードに基づいて作成されることを特徴とする請求項１ないし請求項９の何れかに記載の画像情報供給システム。
【発明の詳細な説明】
【技術分野】
【０００１】
本発明は、ビデオオンデマンドなどの画像情報を供給する技術に関する。
【背景技術】
【０００２】
従来、ビデオオンデマンドなどの画像情報を供給する技術として、ビデオオンデマンドに対する従量課金を適切に行う技術が開示されている（特許文献１参照）。
この様な技術では、課金を適切に行うために、利用者認証や課金情報抽出、受信情報の制御や課金処理などを行っている。
【特許文献１】特開２００１−２９８７１９号公報
【発明の開示】
【発明が解決しようとする課題】
【０００３】
しかしながら、従来のビデオオンデマンドなどの画像情報を供給する技術では、受信機のディスプレイにビデオオンデマンドの利用メニューを表示し、その利用メニューの中から、所望の番組を選び、購入すると言う手順で、画像情報供給システムが運用されていたため、ビデオオンデマンドの利用者が番組の存在を偶然に知って、それから課金があっても尚その番組を見たいと思った場合だけ、番組が購入されるといった購入の動機付けに欠点があった。
【０００４】
このため多種、多様で、大量の画像情報をビデオオンデマンドの供給元に蓄えておいても、その画像情報の存在自体がビデオオンデマンドの利用者に知らされる機会がなく、当然その画像情報を購入する利用者も少なかった。
【０００５】
そこで、本発明では、利用者が所有する受信機以外のディスプレイに、多種、多様で、大量の画像情報の存在を知らせる画像情報を流して宣伝し、その宣伝を見た者が、その場で、自己の所有する機器で、画像情報の供給を受けることが出来る様にすることで、ビデオオンデマンドなどの画像情報を供給するシステムの利用者の拡大を図ることが出来る技術の提供を目的とする。
【０００６】
又、この場合に、早送りなどを行うことなく、宣伝として見ていた番組の続きを見ることを可能にすることで、利用者の利便性を向上する。
しかも、宣伝として見ていた番組やその番組の続きを、その場で、利用者の所有する情報機器で見ることを可能にする構成に加えて、後刻、その番組や、その番組の続きを、通信費用が廉価なネットワーク回線や通信品質が高い回線と情報機器とを用いて、見ることを可能にする。
【課題を解決するための手段】
【０００７】
上記課題を解決するための手段として、請求項１の発明の画像情報供給システムは、画像情報を記憶する画像情報記憶手段と、上記画像情報記憶手段に記憶された画像情報を特定する画像特定情報を記憶する画像特定情報記憶手段と、画像を表示する画像表示手段と、上記画像情報記憶手段に記憶されている画像情報に基づいて、上記画像表示手段に表示する画像を作成する画像作成手段と、上記画像特定情報記憶手段に記憶されている画像特定情報に基づいて、上記画像作成手段が作成する画像の提供情報を作成する画像提供情報作成手段と、上記画像作成手段によって作成した画像と、上記画像提供情報作成手段によって作成した提供情報とを上記画像表示手段に表示させる提供画像表示手段と、上記画像表示手段によって表示された提供情報に基づいて作成された取得申込情報を受信する取得申込情報受信手段と、上記取得申込情報受信手段によって受信した取得申込情報に基づいて、上記画像情報記憶手段に記憶されている画像情報を特定する画像情報特定手段と、上記画像情報特定手段によって特定された画像情報を上記画像情報記憶手段から読み込んで送信する画像情報送信手段とを備えることを要旨とする。
【０００８】
これにより、画像作成手段が画像情報記憶手段に記憶されている画像情報に基づいて、画像を作成し、提供画像表示手段がその作成した画像を画像表示手段に表示する。
例えば、画像情報記憶手段に記憶されている番組の画像情報（音情報も含む）がディスプレイなどの画像表示手段に表示される。従って、このディスプレイを見ることで、番組を知ることが可能になる。この番組としては、例えば、映画やドラマ、ニュース、ショー、教育ソフト、コメディー、音楽番組などがある。
【０００９】
又、画像情報を供給する場合に、課金を要求するものは、番組の一部だけが含まれる宣伝版が提供され、課金を要求しないものは、番組の一部、例えば、出だし部分が含まれるもの、又は全部が提供される。例えば、課金を要求するものは、映画やドラマなどがある。
又、課金を要求しないものは、ニュースや広報、ショッピングなど、或いはサービス提供用番組、又は、基本料金提供番組などがある。
【００１０】
一方、画像提供情報作成手段が画像特定情報記憶手段に記憶されている画像特定情報に基づいて、画像作成手段が作成する画像の提供情報を作成し、提供画像表示手段がその提供情報を画像表示手段に表示する。
【００１１】
ここで画像表示手段に表示される画像の提供情報は、画像表示手段に表示中の画像情報を取得する場合に必要とされる情報や画像情報の説明情報であって、例えば、番組の名称などの作品情報、番組を提供する組織やサーバーにアクセスするために用いるサーバー情報、サーバー内で番組を特定するためのファイル情報、番組の課金の有無や金額を知らせる料金情報、現在表示中の画像を特定するための時間情報、現在表示中のシーンのシーン番号、現在表示中のチャプター番号などである。尚、これらは、適宜選択される。
【００１２】
又、提供情報は、ディスプレイの一角に、例えば、右下隅に、２次元バーコードの状態で表示される。又、提供情報は、番組の進行に対応して、現在表示中の画像を特定するための情報が更新表示される。例えば、更新表示されることで、番組の開始後の経過時間を含む表示が行われる。
【００１３】
尚、提供情報は、ディスプレイに直接表示することに変えて、又は加えて、赤外線コード信号の状態で、ディスプレイの周囲に表示するようにしてもよい。又、第２のディスプレイに表示する様にしても良い。この様にディスプレイに２次元バーコードで表示する場合は、カメラなどで撮像して、提供情報を抽出する用途の利用が可能であり、赤外線コード信号による表示の場合は、赤外線受信装置で赤外線コードを受信して、提供情報を抽出する用途の利用が可能である。何れの場合も機械読み取りが可能であり、以後、抽出情報をコンピュータ処理することが可能になる。
【００１４】
以上の構成により、ディスプレイなどの画像表示手段に番組などの画像情報の表示と、その画像の提供情報とが表示され、それらを利用することが可能になる。
次ぎに、この画像表示手段に表示された画像を利用する構成を説明する。
【００１５】
ここで画像表示手段に表示された提供情報が、例えば、携帯情報機器のディジタルカメラで撮像され、パターン認識技術などによって、コードの状態に戻され、コンピュータで利用可能な状態にされ、その提供情報に基づいて、取得申込情報が作成され、この取得申込情報が、無線、又は有線回線で、提供情報に記載されていたサーバーの取得申込情報受信手段に送信される。これらの処理は、例えば、カメラと、無線電話装置とを備えた携帯電話装置に、アプリケーションソフトウエアをインストールすることによって、携帯電話装置の操作者の操作によって、ほぼ自動的に実行される。
【００１６】
この取得申込情報の送信先の取得申込情報受信手段は、その取得申込情報を受信し、その受信した取得申込情報に基づいて、画像情報特定手段が画像情報記憶手段に記憶されている画像情報を特定し、画像情報送信手段がその特定された画像情報を画像情報記憶手段から読み込んで送信する。例えば、画像情報の取得申込情報の送信先に、返信する。この返信は、画像情報を纏めて、或いは経時的に継続して返信する。
【００１７】
たとえば、取得申込情報によって、所定の映画の取得の申し込みがあった場合には、その申し込みがあった映画のビデオデータを取得申込情報によって指定された型式、例えば、ＭＰ４型式で、携帯電話装置に送信する。
【００１８】
これを受信する携帯電話装置は、その返信されてきたビデオデータを逐次ディスプレイに表示したり、或いは、記憶媒体に一時格納する。
又、取得申込情報にインターネット経由で、家庭用のビデオ機器への返信が要求されていた場合には、インターネット経由で、ビデオ機器への返信が行われ、そのビデオ機器で一時格納されたり、モニタに表示される。
【００１９】
つまり、取得申込情報に基づいて、ビデオオンデマンドが実行され、取得申込情報を送信したもの、つまり利用者が、そのビデオを楽しむことが可能になる。尚、このビデオオンデマンドに際しては、慣用されている利用者管理や課金管理などが実行される。
【００２０】
請求項２の発明の画像情報供給システムは、上記画像表示手段によって表示された提供情報に基づいて、取得申込情報を作成する取得申込情報作成手段と、上記取得申込情報作成手段が作成した取得申込情報を送信する取得申込情報送信手段と、上記画像情報送信手段によって送信された画像情報を受信する画像情報受信手段とを備えることを特徴とする請求項１に記載の画像情報供給システムを要旨とする。
【００２１】
これにより、請求項１と同様の作用に加えて、取得申込情報作成手段によって、画像表示手段に表示された提供情報に基づいて、取得申込情報が作成され、この作成された取得申込情報が取得申込情報送信手段によって送信される。
【００２２】
そして、この取得申込情報の送信先の取得申込情報受信手段は、その取得申込情報を受信し、その受信した取得申込情報に基づいて、画像情報特定手段が画像情報記憶手段に記憶されている画像情報を特定し、画像情報送信手段がその特定された画像情報を画像情報記憶手段から読み込んで送信する。
【００２３】
すると、画像情報受信手段が、その送信された画像情報を受信する。つまり、取得申込情報送信手段による取得申込情報の送信に対する返信の画像情報を画像情報受信手段が受信する。
【００２４】
これにより、例えば、その返信されてきた画像情報を逐次ディスプレイに表示したり、或いは、記憶媒体に一時格納することが可能になる。
請求項３の発明の画像情報供給システムは、上記画像情報受信手段によって受信した画像情報を記憶する画像情報記憶手段と、上記画像情報記憶手段に記憶した画像を表示する記憶画像表示手段とを備えることを特徴とする請求項２に記載の画像情報供給システムを要旨とする。
【００２５】
請求項３の発明の画像情報供給システムは、請求項２と同様の作用を有することに加え、画像情報記憶手段によって、画像情報受信手段によって受信された画像情報が記憶され、その記憶された画像情報が記憶画像表示手段によって、表示される。
【００２６】
つまり、取得申込情報の送信に対する返信の画像情報が記憶後、表示される。
請求項４の発明の画像情報供給システムは、上記画像情報受信手段によって受信した画像情報を表示する画像情報表示手段を備えることを特徴とする請求項２、又は請求項３に記載の画像情報供給システムを要旨とする。
【００２７】
請求項４の発明の画像情報供給システムは、請求項２、又は請求項３と同様の作用を有することに加え、画像情報表示手段によって、画像情報受信手段によって受信された画像情報が表示される。
【００２８】
つまり、取得申込情報の送信に対する返信の画像情報が表示される。
請求項５の発明の画像情報供給システムは、上記画像情報記憶手段に記憶されている画像情報に基づいて、上記画像表示手段に表示する画像を記憶する第２画像情報記憶手段と、上記第２画像情報記憶手段に記憶されている画像情報に基づいて、上記画像表示手段に表示する画像を作成する第２画像作成手段と、上記画像特定情報記憶手段に記憶されている画像特定情報に基づいて、上記第２画像作成手段が作成する画像の提供情報を記憶する第２画像特定情報記憶手段と、上記第２画像特定情報記憶手段に記憶されている画像特定情報に基づいて、上記第２画像作成手段が作成する画像の提供情報を作成する第２画像提供情報作成手段と、上記第２画像作成手段によって作成した画像と、上記第２画像提供情報作成手段によって作成した提供情報とを上記画像表示手段に表示させる第２提供画像表示手段とを備えることを特徴とする請求項１ないし請求項４の何れかに記載の画像情報供給システムを要旨とする。
【００２９】
これにより、請求項１ないし請求項４の何れかと同様の作用を有することに加え、第２画像情報記憶手段によって、画像情報記憶手段に記憶されている画像情報に基づいて、画像表示手段に表示する画像が記憶され、次いで、第２画像作成手段が第２画像情報記憶手段に記憶されている画像情報に基づいて、画像を作成し、第２提供画像表示手段がその作成した画像を画像表示手段に表示する。
【００３０】
又、第２画像特定情報記憶手段によって、画像特定情報記憶手段に記憶されている画像特定情報に基づいて、第２画像作成手段によって作成される画像の提供情報が記憶され、次いで、第２画像提供情報作成手段が第２画像特定情報記憶手段に記憶されている画像特定情報に基づいて、第２画像作成手段が作成する画像の提供情報を作成し、第２提供画像表示手段がその提供情報を画像表示手段に表示する。
【００３１】
以上の構成により、画像表示手段に表示する番組などの画像情報と、その画像の提供情報とを、画像情報記憶手段と、画像特定情報記憶手段とに基づいて、作成することに加え、第２画像情報記憶手段と、第２画像特定情報記憶手段とに基づいて、作成することが可能になる。
【００３２】
従って、例えば、画像情報記憶手段と、画像特定情報記憶手段とが本部や基地のサーバに設けられ、これらとは別に、第２画像情報記憶手段と、第２画像特定情報記憶手段とが会館やホール、或いは車両などの移動体に設けられている場合に、画像情報記憶手段と、画像特定情報記憶手段とに基づいて画像表示手段に行われる表示と、第２画像情報記憶手段と、第２画像特定情報記憶手段とに基づいて画像表示手段に行われる表示とを、同じ内容にすることが可能になる。
【００３３】
これにより、例えば、画像表示手段に表示する画像と、画像の提供情報とを、例えば、無線回線経由で、都度サーバーから読み込むことなく、移動体に設置した記憶媒体から読み込んで表示しても、都度サーバーから読み込んだのと同様にすることが可能になり、無線回線などの有限の通信資源を徒に消費することなく必要な画像の提供と、その画像の提供情報との提供が可能になる。
【００３４】
請求項６の発明の画像情報供給システムは、上記画像提供情報作成手段によって作成される提供情報は、上記画像表示手段に表示される画像情報の継続開始情報を有し、上記画像表示手段によって表示された提供情報に基づいて作成された取得申込情報は、上記画像表示手段に表示された画像情報の継続開始情報を有することを特徴とする請求項１ないし請求項５の何れかに記載の画像情報供給システムを要旨とする。
【００３５】
これにより、請求項１ないし請求項５の何れかと同様の作用を有することに加え、画像表示手段に表示される提供情報に、画像情報の継続開始情報が含まれ、この提供情報に基づいて作成される取得申込情報は、その画像情報の継続開始情報を含む。
【００３６】
従って、現在、画像表示手段に表示されている画像の提供情報から、現在の画像の継続開始情報を検出して、現在の画像を特定したり、現在の画像を次の画像に継続させる情報を利用者が取得することが可能になる。
【００３７】
又、その取得した情報を利用して、画像情報の継続開始情報を含む取得申込情報を作成し、画像情報特定手段に伝えることが可能になる。
これにより、画像情報特定手段は、その画像情報の継続開始情報を利用して、画像情報記憶手段に記憶されている画像情報を特定、例えば、画像情報表示手段から提供情報を読み取ったときの画像を特定することが可能になり、次の画像情報送信手段は、そのときの画像に基づいて決定した画像から送信を開始することが可能になる。
【００３８】
例えば、画像情報表示手段から提供情報を読み取ったときに、開始後の１分時点の画像が表示されていた場合に、画像情報送信手段は、開始後の１分時点の画像から送信すると言ったことが可能になる。尚、これは取得申込情報によって選択されることがあり、例えば、開始時点からの画像の送信を求めている場合には、開始時点からの画像が送信され、所定の区切り毎の送信を求めている場合には、開始後の１分時点の画像が属するシーンの開始時点、例えば、時事ニュースなどの場合には、開始後の１分時点に画像表示手段に表示されていたニュースの初めからの画像が送信される。
【００３９】
請求項７の発明の画像情報供給システムは、上記画像情報特定手段によって特定された画像情報は、上記画像表示手段に表示された画像情報の継続開始情報に基づいて示される継続開始位置情報を有し、上記画像情報送信手段によって上記画像情報記憶手段から読み込んで送信される画像情報は、上記継続開始位置情報で示される継続開始位置から提供されることを特徴とする請求項６に記載の画像情報供給システムを要旨とする。
【００４０】
これにより、請求項６と同様の作用を有することに加え、画像情報特定手段によって特定された画像情報は、画像表示手段に表示される提供情報の継続開始情報に基づく継続開始位置情報を有し、画像情報送信手段によって画像情報記憶手段から読み込んで送信される画像情報は、その継続開始位置情報で示される継続開始位置から提供される。
【００４１】
これにより、画像情報特定手段は、その画像情報の継続開始情報と、画像情報記憶手段に記憶されている画像情報の継続開始位置情報とを利用して、例えば、画像情報表示手段から提供情報を読み取ったときの画像の継続開始位置を特定することが可能になり、次の画像情報送信手段は、そのときの画像に基づいて決定した画像の継続開始位置からの画像から送信を開始することが可能になる。
【００４２】
従って、継続開始位置の特定が画像情報の継続開始位置情報を利用して、簡便に実行可能になる。例えば、ニュースの初めからの画像から送信を開始する場合に、その画像の送信の開始位置を提供することが可能になる。
【００４３】
請求項８の発明の画像情報供給システムは、上記画像情報の継続開始情報は、上記画像表示手段に現在表示されている画像情報の開始からの経過時間、画像データ番号、チャプター番号、シーン番号、又は情報データ番号を示すことを特徴とする請求項６、又は請求項７に記載の画像情報供給システムを要旨とする。
【００４４】
これにより、請求項６、又は請求項７と同様の作用を有することに加え、画像情報の継続開始情報が画像表示手段に現在表示されている画像情報の開始からの経過時間、画像データ番号、チャプター番号、シーン番号、又は情報データ番号で与えられる。
【００４５】
従って、継続開始位置の特定を現在表示されている画像情報の開始からの経過時間、画像データ番号、チャプター番号、シーン番号、又は情報データ番号で行うことが可能になる。
【００４６】
請求項９の発明の画像情報供給システムは、上記画像情報送信手段によって送信される継続開始位置は、上記取得申込情報の作成時点に、上記画像表示手段によって表示されていた画像情報の開始からの経過時間、画像データ番号、チャプター番号、シーン番号、又は情報データ番号に基づいて決定されることを特徴とする請求項７、又は請求項８に記載の画像情報供給システムを要旨とする
これにより、請求項７、又は請求項８と同様の作用を有することに加え、画像情報送信手段によって送信される継続開始位置が、取得申込情報の作成時点に、画像表示手段に表示されている画像情報の開始からの経過時間、画像データ番号、チャプター番号、シーン番号、又は情報データ番号で与えられる。
【００４７】
従って、継続開始位置の特定を現在表示されている画像情報の開始からの経過時間、画像データ番号、チャプター番号、シーン番号、又は情報データ番号で行うことが可能になる。
【００４８】
請求項１０の発明の画像情報供給システムは、上記提供画像表示手段が表示する提供情報は、提供情報の内容をコード化し、該コードを図柄で表現したコード図柄であり、
上記画像表示手段によって表示された提供情報に基づいて作成された取得申込情報は、上記コード図柄を光学的に読み取って検出したコードに基づいて作成されることを特徴とする請求項１ないし請求項９の何れかに記載の画像情報供給システムを要旨とする。
【００４９】
これにより、請求項１ないし請求項９の何れかと同様の作用を有することに加え、提供画像表示手段が提供情報の内容のコードを図柄で表現したコード図柄を表示すると、そのコード図柄が光学的に読み取られて、コードに戻され、取得申込情報の作成の元とされる。
【００５０】
従って、取得申込情報の作成の元となる提供情報の検出を例えば、カメラが付いて、２次元バーコードの読み取り機能を付与した携帯情報機器や携帯電話機で行うといった構成の採用が可能になる。
【発明の効果】
【００５１】
請求項１の画像情報供給システムは、画像表示手段に画像情報と、その画像の提供情報を表示し、その提供情報に基づく取得申込情報の送信を受信することで、画像表示手段に表示した画像情報を特定して、送信することにより、画像情報の利用者が所有する受信機以外のディスプレイに、多種、多様で、大量の画像情報の存在を知らせる画像情報を流して宣伝し、その宣伝を見た者が、その場で、自己の所有する機器で、画像情報の供給を受けることが出来る様になり、ビデオオンデマンドなどの画像情報を供給するシステムの利用者の拡大を図ることが出来るという極めて優れた効果を奏する。
【００５２】
又、この場合に、例えば、早送りなどを行うことなく、宣伝として見ていた番組の続きを見ることを可能にして、利用者の利便性を向上することができる。
しかも、その宣伝として見ていた番組やその番組の続きを、その場で、自己の所有する携帯型の情報機器で見ることを可能にする構成に加えて、後刻、その番組や、その番組の続きを、通信費用が廉価なネットワーク回線や通信品質が高い回線と情報機器とを用いて、見ることを可能にすることができる。
【００５３】
請求項２の画像情報供給システムは、請求項１と同様の効果を奏することに加えて、取得申込情報の送信に対する返信の画像情報を受信することが出来ることから、これにより、例えば、その返信されてきた画像情報を逐次ディスプレイに表示したり、或いは、記憶媒体に一時格納することが可能になり、画像情報を利用する利用者の利便性が向上するという効果を奏する。
【００５４】
請求項３の画像情報供給システムは、請求項２と同様の効果を奏することに加えて、取得申込情報の送信に対する返信の画像情報を記憶後、表示することが出来ることから、画像情報を表示してみる機会が増え、画像情報を利用する利用者の利便性が向上するという効果を奏する。
【００５５】
請求項４の画像情報供給システムは、請求項２、又は請求項３と同様の効果を奏することに加えて、取得申込情報の送信に対する返信の画像情報を表示することが出来ることから、何時でも画像情報を見ることが出来、画像情報を利用する利用者の利便性が向上するという効果を奏する。
【００５６】
請求項５の画像情報供給システムは、請求項１ないし請求項４と同様の効果を奏することに加えて、例えば、画像表示手段に表示する画像と、画像の提供情報とを、例えば、無線回線経由で、都度サーバーから読み込むことなく、移動体に設置した記憶媒体から読み込んで表示しても、都度サーバーから読み込んだのと同様にすることが可能になり、無線回線などの有限の通信資源を徒に消費することなく必要な画像の提供と、その画像の提供情報との提供が可能になることから、通信回線の設備負担が低減され、画像情報供給システムを広く普及させることが可能になると言う極めて優れた効果を奏する。
【００５７】
例えば、タクシーなどのような車両に設置し、ニュースなどは、無線回線で適宜受信して更新し、ドラマや映画、音楽ビデオなどは、予め記憶媒体に格納しておいて、表示するという通信資源の有効活用が可能な利用方法が可能になる。
【００５８】
請求項６の画像情報供給システムは、請求項１ないし請求項５と同様の効果を奏することに加えて、画像情報の継続開始情報を利用して、画像情報記憶手段に記憶されている画像情報を特定、例えば、画像情報表示手段から提供情報を読み取ったときの画像を特定することが可能になり、そのときの画像に基づいて決定した画像から送信を開始することが可能になることから、例えば、画像情報表示手段から提供情報を読み取ったときに、開始後の１分時点の画像が表示されていた場合に、画像情報送信手段は、開始後の１分時点の画像から送信すると言ったことが可能になり、例えば、画像表示手段で既に見た部分の画像を再度見ることを防止することが出来、利用者の利便性が向上される。
【００５９】
又、例えば、画像表示手段に表示されていた画像に関連する部分の最初から見ると言ったことも可能になり、利用者の利便性が向上されるという効果を奏する。
請求項７の画像情報供給システムは、請求項６と同様の効果を奏することに加えて、画像情報の継続開始情報と、画像情報記憶手段に記憶されている画像情報の継続開始位置情報とを利用して、例えば、画像情報表示手段から提供情報を読み取ったときの画像の継続開始位置を特定することが可能になり、次の画像情報送信手段は、そのときの画像に基づいて決定した画像の継続開始位置からの画像から送信を開始することが可能になることから、例えば、ニュースの初めを特定すると言った継続開始位置の特定が画像情報の継続開始位置情報を利用して、簡便に実行可能になり、利用者の立場に立った継続開始位置の設定が可能になって、利用者の顧客満足度を向上させるという効果を奏する。
【００６０】
請求項８の画像情報供給システムは、請求項６、又は請求項７と同様の効果を有することに加え、継続開始位置の特定を現在表示されている画像情報の開始からの経過時間、画像データ番号、チャプター番号、シーン番号、又は情報データ番号で行うことが可能になることから、利用者の要求する頭出し、例えば画像の表示の開始を行う位置を、画像情報の開始からの経過時間で決めたり、画像データ番号で決めたり、チャプター番号で決めたり、シーン番号で決めたり、又は情報データ番号で決めたりする技術の提供が容易になり、利便性を向上することが可能になるという効果を奏する。
【００６１】
又、画像表示手段に表示中の画像が属する画像データ番号に決めたり、チャプター番号に決めたり、シーン番号に決めたり、又は情報データ番号に決めたりし、それらの最初から表示する技術の提供が容易になる。
【００６２】
請求項９の画像情報供給システムは、請求項７、又は請求項８と同様の効果を有することに加え、画像情報送信手段によって送信される継続開始位置が、取得申込情報の作成時点に、現在表示されている画像情報の開始からの経過時間、画像データ番号、チャプター番号、シーン番号、又は情報データ番号で行うことが可能になることから、利用者の要求する頭出し、例えば画像の表示の開始を行う位置を、画像情報の開始からの経過時間で決めたり、画像データ番号で決めたり、チャプター番号で決めたり、シーン番号で決めたり、又は情報データ番号で決めたりする技術の提供が容易になり、利便性を向上することが可能になるという効果を奏する。
【００６３】
又、画像表示手段に表示中の画像が属する画像データ番号に決めたり、チャプター番号に決めたり、シーン番号に決めたり、又は情報データ番号に決めたりし、それらの最初から表示する技術の提供が容易になる。
【００６４】
請求項１０の画像情報供給システムは、請求項１ないし請求項９の何れかと同様の効果を有することに加え、取得申込情報の作成の元となる提供情報の検出を例えば、カメラが付いて、２次元バーコードの読み取り機能を付与した携帯情報機器や携帯電話機で行うといった構成の採用が可能になり、広く用いられている携帯情報機器や携帯電話機の活用が可能になって、利用者の利便性が向上される。
【発明を実施するための最良の形態】
【００６５】
次に発明を実施するための最良の形態を説明する。
図１は、画像情報供給システム１の構成図、図２は、画像情報供給システム１の改良型の画像情報供給システム１０１の構成図、図３は、画像情報供給システム１０１の改良型の画像情報供給システム２０１の構成図である。
【００６６】
先ず、画像情報供給システム１を説明する。
画像情報供給システム１は、ドラマ、映画、音楽、ニュースなどのビデオデータを記憶する画像情報記憶手段３と、上記画像情報記憶手段３に記憶されたビデオデータを特定するビデオデータ特定情報、例えば、ビデオデータの名称、配信サーバの名称、ビデオデータの開始後からの経過時間、課金情報などを記憶する画像特定情報記憶手段５と、ビデオ画像を表示する画像表示手段７と、上記画像情報記憶手段３に記憶されているビデオデータに基づいて、上記画像表示手段７に表示するビデオ番組を作成する画像作成手段９と、上記画像特定情報記憶手段５に記憶されているビデオデータ特定情報に基づいて、上記画像作成手段９が作成するビデオ番組の提供情報を作成する画像提供情報作成手段１１と、上記画像作成手段９によって作成したビデオ番組画像４３と、上記画像提供情報作成手段１１によって作成した提供情報の２次元バーコード４５とを上記画像表示手段７に表示させる提供画像表示手段１３と、上記画像表示手段７によって表示された提供情報の２次元バーコード４５の画像を読み取って、コードに戻し、このコードに戻した提供情報に基づいて、取得申込情報を作成する取得申込情報作成手段１５と、上記取得申込情報作成手段１５が作成した取得申込情報を送信する取得申込情報送信手段１７と、上記取得申込情報送信手段１７によって送信された取得申込情報を受信する取得申込情報受信手段１９と、上記取得申込情報受信手段１９によって受信した取得申込情報に基づいて、上記画像情報記憶手段３に記憶されているビデオデータを特定する画像情報特定手段２１と、上記画像情報特定手段２１によって特定されたビデオデータを上記画像情報記憶手段３から読み込んで送信する画像情報送信手段２３と、上記画像情報送信手段２３によって送信されたビデオデータを受信する画像情報受信手段２５と、上記画像情報受信手段２５によって受信したビデオデータを表示する画像情報表示手段２７とを備える。
【００６７】
又、画像情報記憶手段３と、画像特定情報記憶手段５と、画像作成手段９と、画像提供情報作成手段１１と、取得申込情報受信手段１９と、画像情報特定手段２１と、画像情報送信手段２３とは、ビデオ配信サーバ３１を構成している。
【００６８】
画像表示手段７と、提供画像表示手段１３とは、サテライトシステム３３を構成している。
取得申込情報作成手段１５と、取得申込情報送信手段１７と、画像情報受信手段２５と、画像情報表示手段２７とは、クライアントシステム３５を構成している。
【００６９】
ビデオ配信サーバ３１と、サテライトシステム３３とは、有線、又は無線によるネットワーク３７で接続され、サテライトシステム３３と、クライアントシステム３５とは、光学画像３９で接続され、クライアントシステム３５と、ビデオ配信サーバ３１とは、有線、又は無線によるネットワーク４１で接続される。尚、ネットワーク３７に代えて、放送電波や、放送電波経由で、ビデオ配信サーバ３１と、サテライトシステム３３とが接続される型式でも良い。又、この場合には、サテライトシステム３３は、テレビ放送を受信するテレビ受像機を利用する構成が可能である。これにより、一般テレビ放送の広告を利用することが可能になる。
【００７０】
以上の画像情報供給システム１は、ビデオ配信サーバ３１に格納されているビデオデータ資源の有効活用を図る目的で、サテライトシステム３３の画像表示手段７にビデオ番組画像４３と、その表示されているビデオ番組画像を取得するために利用する提供情報の２次元バーコード４５とを表示する。このサテライトシステム３３は、公共通路に面する箇所やタクシー車両（又は、一般家庭）などに設置され、不特定多数の人にビデオ番組画像を広報する。
【００７１】
例えば、駅の構内の待合室などに配置され、テレビ受像器などの画像表示手段７に様々なビデオ番組画像４３を提供する。例えば、映画のプロモーション番組やニュース番組を提供する。
【００７２】
又、このビデオ番組画像４３と共に、ビデオ番組の提供情報の２次元バーコード４５を画像表示手段７に表示する。ここで表示される提供情報の２次元バーコード４５は、現在表示中のビデオ番組画像４３をクライアントシステム３５で取得することを可能にするための情報を有するもので、詳細は後述する。
【００７３】
この提供情報の２次元バーコード４５は、クライアントシステム３５で光学的に読み取られ、復号化される。
この復号化された提供情報に基づいて作成した取得申込情報がクライアントシステム３５からビデオ配信サーバ３１に送信されると、その取得申込情報に基づいて、ビデオ番組画像４３が画像情報特定手段２１で特定され、その特定されたビデオ番組画像が画像情報記憶手段３から読み込まれて、画像情報送信手段２３によって、クライアントシステム３５の画像情報受信手段２５に送信され、画像情報表示手段２７によって、ビデオ番組が表現される。例えば、画像表示手段７に最新映画のプロモーション画像が表示されているときに、提供情報の２次元バーコード４５を撮像し、その撮像した２次元バーコード４５に基づいて、その最新映画の有料視聴を申し込む取得申込情報をビデオ配信サーバ３１に送信すると、ビデオ配信サーバ３１からクライアントシステム３５に視聴を申し込んだ最新映画のビデオデータが送信されてきて、これを視聴することが可能になる。所謂有料のビデオオンデマンドが実現される。尚、この場合に、無料視聴を申し込むと、プロモーション画像が送信されてくるように構成されている。
【００７４】
又、例えば、画像表示手段７にニュース画像が表示されているときに、提供情報の２次元バーコード４５を撮像し、その撮像した２次元バーコード４５に基づいて、そのニュース画像の続きの無料視聴（基本料金内視聴）を申し込む取得申込情報をビデオ配信サーバ３１に送信すると、ビデオ配信サーバ３１からクライアントシステム３５に視聴を申し込んだニュース画像の続きのビデオデータが送信されてきて、これを視聴することが可能になる。所謂無料のビデオオンデマンドが実現される。尚、具体的な内容は、実施例で後述する。
【００７５】
次ぎに図２に示す画像情報供給システム１０１を説明する。
画像情報供給システム１０１は、ドラマ、映画、音楽、ニュースなどのビデオデータを記憶する画像情報記憶手段１０３と、上記画像情報記憶手段１０３に記憶されたビデオデータを特定するビデオデータ特定情報、例えば、ビデオデータの名称、配信サーバの名称、ビデオデータの開始後からの経過時間、課金情報などを記憶する画像特定情報記憶手段１０５と、ビデオ画像を表示する画像表示手段１０７と、上記画像情報記憶手段１０３に記憶されているビデオデータに基づいて、上記画像表示手段１０７に表示するビデオ番組を作成する画像作成手段１０９と、上記画像特定情報記憶手段１０５に記憶されているビデオデータ特定情報に基づいて、上記画像作成手段１０９が作成するビデオ番組の提供情報を作成する画像提供情報作成手段１１１と、上記画像作成手段１０９によって作成したビデオ番組画像１４３と、上記画像提供情報作成手段１１１によって作成したビデオ番組の提供情報の２次元バーコード１４５とを上記画像表示手段１０７に表示させる提供画像表示手段１１３と、上記画像情報記憶手段１０３に記憶されているビデオデータに基づいて、上記画像表示手段１４３に表示するビデオデータを記憶する第２画像情報記憶手段１５３と、上記第２画像情報記憶手段１５３に記憶されているビデオデータに基づいて、上記画像表示手段１４３に表示するビデオ番組を作成する第２画像作成手段１５５と、上記画像特定情報記憶手段１０５に記憶されているビデオデータ特定情報に基づいて、上記第２画像作成手段１５５が作成するビデオ番組の提供情報を記憶する第２画像特定情報記憶手段１５７と、上記第２画像特定情報記憶手段１５７に記憶されているビデオデータ特定情報に基づいて、上記第２画像作成手段１５５が作成するビデオ番組の提供情報を作成する第２画像提供情報作成手段１５９と、上記第２画像作成手段１５５によって作成したビデオ番組と、上記第２画像提供情報作成手段１５９によって作成したビデオ番組の提供情報の２次元バーコードとを上記画像表示手段１０７に表示させる第２提供画像表示手段１６１と、上記画像表示手段１０７によって表示されたビデオ番組の提供情報の２次元バーコード１４５の画像を読み取って、コードに戻し、このコードに戻した提供情報と、クライアントシステム１３５の利用者に関する登録情報（電話番号や会員番号などの予め登録されている情報）、つまり利用者情報とに基づいて、取得申込情報を作成する取得申込情報作成手段１１５と、上記取得申込情報作成手段１１５が作成した取得申込情報を送信する取得申込情報送信手段１１７と、上記取得申込情報送信手段１１７によって送信された取得申込情報を受信すると共に、その受信した取得申込情報の内容が適正であるか（利用の権限があるかなどの判断）を利用者情報記憶手段１６３に記憶されている利用者の登録情報に基づいて、チェックする取得申込情報受信手段１１９と、上記取得申込情報受信手段１１９によって受信し、利用の権限があると判断された取得申込情報に基づいて、上記画像情報記憶手段１０３に記憶されているビデオデータを特定する画像情報特定手段１２１と、上記画像情報特定手段１２１によって特定されたビデオデータを上記画像情報記憶手段１０３から読み込んで送信する画像情報送信手段１２３と、上記画像情報送信手段１２３によって送信されたビデオデータを受信する画像情報受信手段１２５と、上記画像情報受信手段１２５によって受信したビデオデータをディスプレイ１５１に表示する画像情報表示手段１２７と、上記画像情報受信手段１２５によって受信したビデオデータを一時的に記憶する画像情報記憶手段１６５と、画像情報記憶手段１６５に記憶されたビデオデータをディスプレイ１５１に表示する記憶画像情報表示手段１６７とを備える。
【００７６】
又、画像情報記憶手段１０３と、画像特定情報記憶手段１０５と、画像作成手段１０９と、画像提供情報作成手段１１１と、取得申込情報受信手段１１９と、画像情報特定手段１２１と、画像情報送信手段１２３と、利用者情報記憶手段１６３とは、利用者情報記憶手段１６３の登録情報に基づく利用者管理機能を有するビデオ配信サーバ１３１を構成している。
【００７７】
画像表示手段１０７と、提供画像表示手段１１３と、第２画像情報記憶手段１５３と、第２画像作成手段１５５と、第２画像特定情報記憶手段１５７と、第２画像提供情報作成手段１５９と、第２提供画像表示手段１６１とは、第２画像情報記憶手段１５３によって、ビデオ番組のビデオデータを記憶可能なサテライトシステム１３３を構成している。
【００７８】
取得申込情報作成手段１１５と、取得申込情報送信手段１１７と、画像情報受信手段１２５と、画像情報表示手段１２７と、ディスプレイ１５１と、画像情報記憶手段１６５と、記憶画像情報表示手段１６７とは、画像情報記憶手段１６５によってビデオ番組を一時的に記憶可能なクライアントシステム１３５を構成している。
【００７９】
ビデオ配信サーバ１３１と、サテライトシステム１３３とは、有線、又は無線によるネットワーク１３７で接続され、サテライトシステム１３３と、クライアントシステム１３５とは、光学画像３９で接続され、クライアントシステム１３５と、ビデオ配信サーバ１３１とは、有線、又は無線によるネットワーク１４１で接続される。
【００８０】
以上の画像情報供給システム１０１は、ビデオ配信サーバ１３１に格納されているビデオデータ資源の有効活用を図る目的で、サテライトシステム１３３の画像表示手段１０７にビデオ番組画像１４３と、その表示されているビデオ番組画像を取得するために利用するビデオ番組の提供情報の２次元バーコード１４５とを表示する。
【００８１】
又、有線や無線のネットワーク接続が難しい環境、例えば、タクシーなどの車両でも第２画像情報記憶手段１５３と、第２画像特定情報記憶手段１５７とを利用してビデオ番組などの広報が出来、ビデオ配信サーバ１３１に格納されているビデオデータ資源の有効活用を図ることが出来る。
【００８２】
次ぎに図３に示す画像情報供給システム２０１を説明する。
画像情報供給システム２０１は、ドラマ、映画、音楽、ニュースなどのビデオデータを記憶する画像情報記憶手段２０３と、上記画像情報記憶手段２０３に記憶されたビデオデータを特定するビデオデータ特定情報、例えば、ビデオデータの名称、配信サーバの名称、ビデオデータの開始後からの経過時間、課金情報などを記憶する画像特定情報記憶手段２０５と、ビデオ画像を表示する画像表示手段２０７と、上記画像情報記憶手段２０３に記憶されているビデオデータに基づいて、上記画像表示手段２０７に表示するビデオ番組を作成する画像作成手段２０９と、上記画像特定情報記憶手段２０５に記憶されているビデオデータ特定情報に基づいて、上記画像作成手段２０９が作成するビデオ番組の提供情報を作成する画像提供情報作成手段２１１と、上記画像作成手段２０９によって作成したビデオ番組画像２４３と、上記画像提供情報作成手段２１１によって作成したビデオ番組の提供情報の２次元バーコード２４５とを上記画像表示手段２０７に表示させる提供画像表示手段２１３と、上記画像情報記憶手段２０３に記憶されているビデオデータに基づいて、上記画像表示手段２４３に表示するビデオデータを記憶する第２画像情報記憶手段２５３と、上記第２画像情報記憶手段２５３に記憶されているビデオデータに基づいて、上記画像表示手段２４３に表示するビデオ番組を作成する第２画像作成手段２５５と、上記画像特定情報記憶手段２０５に記憶されているビデオデータ特定情報に基づいて、上記第２画像作成手段２５５が作成するビデオ番組の提供情報を記憶する第２画像特定情報記憶手段２５７と、上記第２画像特定情報記憶手段２５７に記憶されているビデオデータ特定情報に基づいて、上記第２画像作成手段２５５が作成するビデオ番組の提供情報を作成する第２画像提供情報作成手段２５９と、上記第２画像作成手段２５５によって作成したビデオ番組と、上記第２画像提供情報作成手段２５９によって作成したビデオ番組の提供情報の２次元バーコードとを上記画像表示手段２０７に表示させる第２提供画像表示手段２６１と、上記画像表示手段２０７によって表示されたビデオ番組の提供情報の２次元バーコード２４５の画像を読み取って、コードに戻し、このコードに戻した提供情報と、第１クライアントシステム２３５の利用者に関する登録情報（電話番号や会員番号などの予め登録されている情報）、つまり利用者情報とに基づいて、第１取得申込情報を作成する第１取得申込情報作成手段２１５と、上記第１取得申込情報作成手段２１５が作成した第１取得申込情報を送信する第１取得申込情報送信手段２１７と、上記第１取得申込情報送信手段２１７によって送信された第１取得申込情報を受信すると共に、その受信した第１取得申込情報の内容が適正であるか（利用の権限があるかなどの判断）を第１利用者情報記憶手段２６３に記憶されている利用者の登録情報に基づいて、チェックする第１取得申込情報受信手段２１９と、上記第１取得申込情報受信手段２１９によって受信し、利用の権限があると判断された第１取得申込情報に基づいて、上記画像情報記憶手段２０３に記憶されているビデオデータを特定する画像情報特定手段２２１と、上記画像情報特定手段２２１によって特定されたビデオデータを上記画像情報記憶手段２０３から読み込んで送信する画像情報送信手段２２３と、上記画像情報送信手段２２３によって送信されたビデオデータを受信する画像情報受信手段２２５と、上記画像情報受信手段２２５によって受信したビデオデータをディスプレイ２５１に表示する画像情報表示手段２２７と、上記画像情報受信手段２２５によって受信したビデオデータを一時的に記憶する画像情報記憶手段２６５と、画像情報記憶手段２６５に記憶されたビデオデータをディスプレイ２５１に表示する記憶画像情報表示手段２６７と、第１取得申込情報作成手段２１５が作成した取得申込情報を第１取得申込情報作成手段２１５に備えられた図示しない赤外線送信手段を利用して、受信し、該取得申込情報に基づいて、第２取得申込情報を作成する第２取得申込情報作成手段２７１と、上記第２取得申込情報作成手段２７１が作成した第２取得申込情報を送信する第２取得申込情報送信手段２７３と、上記第２取得申込情報送信手段２７３によって送信された第２取得申込情報を受信すると共に、その受信した第２取得申込情報の内容が適正であるか（利用の権限があるかなどの判断）を第２利用者情報記憶手段２７５に記憶されている利用者の登録情報に基づいて、チェックする第２取得申込情報受信手段２７７と、上記第２取得申込情報受信手段２７７によって受信し、利用の権限があると判断された第２取得申込情報に基づいて、上記画像情報記憶手段２０３に記憶されているビデオデータを特定する既述した画像情報特定手段２２１とを備える。
【００８３】
又、画像情報記憶手段２０３と、画像特定情報記憶手段２０５と、画像作成手段２０９と、画像提供情報作成手段２１１と、第１取得申込情報受信手段２１９と、画像情報特定手段２２１と、画像情報送信手段２２３と、利用者情報記憶手段２６３と、第２取得申込情報受信手段２７７と、第２利用者情報記憶手段２７５とは、第１利用者情報記憶手段２６３の登録情報（例えば、無線ＩＰネットワーク用の登録情報）に基づく利用者管理機能と、第２利用者情報記憶手段２７５の登録情報（例えば、有線ＩＰネットワーク用の登録情報）に基づく利用者管理機能とを有するビデオ配信サーバ２３１を構成している。
【００８４】
画像表示手段２０７と、提供画像表示手段２１３と、第２画像情報記憶手段２５３と、第２画像作成手段２５５と、第２画像特定情報記憶手段２５７と、第２画像提供情報作成手段２５９と、第２提供画像表示手段２６１とは、第２画像情報記憶手段２５３によって、ビデオ番組のビデオデータを記憶可能なサテライトシステム２３３を構成している。
【００８５】
第１取得申込情報作成手段２１５と、第１取得申込情報送信手段２１７とは、第１クライアントシステム２３５（例えば、携帯電話機を基礎とするシステム）を構成している。
第２取得申込情報作成手段２７１と、第２取得申込情報送信手段２７３と、画像情報受信手段２２５と、画像情報表示手段２２７と、ディスプレイ２５１と、画像情報記憶手段２６５と、記憶画像情報表示手段２６７とは、画像情報記憶手段２６５によってビデオ番組を一時的に記憶可能な第２クライアントシステム２８１を構成している。
【００８６】
ビデオ配信サーバ２３１と、サテライトシステム２３３とは、有線、又は無線によるネットワーク２３７で接続され、サテライトシステム２３３と、第１クライアントシステム２３５とは、光学画像３９で接続され、第１クライアントシステム２３５と、ビデオ配信サーバ２３１とは、有線、又は無線によるネットワーク２４１で接続され、ビデオ配信サーバ２３１と、第２クライアントシステム２８１とは、有線、又は無線によるネットワーク２８３で接続される。
【００８７】
以上の画像情報供給システム２０１は、ビデオ配信サーバ２３１に格納されているビデオデータ資源の有効活用を図る目的で、サテライトシステム２３３の画像表示手段２０７にビデオ番組画像２４３と、その表示されているビデオ番組画像を取得するために利用するビデオ番組の提供情報の２次元バーコード２４５とを表示する。
【００８８】
又、有線や無線のネットワーク接続が難しい環境、例えば、タクシーなどの車両でも第２画像情報記憶手段２５３と、第２画像特定情報記憶手段２５７とを利用してビデオ番組などの広報が出来、ビデオ配信サーバ２３１に格納されているビデオデータ資源の有効活用を図ることが出来る。
【００８９】
しかも、第１クライアントシステム２３５で取得したビデオ番組の提供情報の転送、例えば、赤外線信号による転送を例えば、自宅に設置してある第２クライアントシステム２８１で受け、この転送を受けたビデオ番組の提供情報に基づいて、ビデオ番組画像を取得することが出来る。
【００９０】
この様に自宅に設置してある第２クライアントシステム２８１、例えば、ネットワーク機能を有するビデオ機器や、テレビで、画像表示手段２０７に表示されていたビデオ番組の提供情報の２次元バーコード２４５から抽出した提供情報を簡単に利用することが出来るようになり、利用者の利便性が向上される。
【実施例】
【００９１】
次ぎに、図１ないし図３に示した画像情報供給システム１、１０１、２０１を具体的に説明する。
図４は、駅や通路などのホール３０１に設置されたテレビ受像器３０３の正面図、図５は、テレビ受像器３０３の画面３０５の一部分の説明図、図６は、タクシー３０７に設置されたテレビ受像器３０９の正面図である。テレビ受像器３０３、３０９は、画像表示手段７、１０７、２０７の具体例である。
【００９２】
先ず、図４のテレビ受像器３０３に基づいて、説明する。
テレビ受像器３０３は、図示しないコンピュータ、ネットワーク機器、放送受信機器、及び情報処理機器が組み合わされて構成されるサテライト装置３１１に接続されており、サテライト装置３１１には、大容量のディジタル信号（数１００メガビット／毎秒）を伝送可能な光ケーブルなどのネットワーク配線３１３が接続されている。
【００９３】
ネットワーク配線３１３は、図示しないＩＰ網（インターネットプロトコル通信網など）に接続され、このＩＰ網経由で、図３に示す画像作成手段２０９と、画像提供情報作成手段２１１とに相当するサテライト用ビデオ番組供給装置３１５に接続されている。サテライト用ビデオ番組供給装置３１５は、ビデオ配信サーバ３１７内に設けられている。このビデオ配信サーバ３１７は、ビデオ配信サーバ２３１とほぼ同様の機能を備え、サテライト用ビデオ番組供給装置３１５によって、サテライト装置３１１にビデオ番組画像（以下ＶＯＤ番組画像と記す）と、ビデオ番組提供情報（以下ＶＯＤ情報と記す）とを供給する。この場合に供給されるＶＯＤ番組画像は、周知の有線テレビ放送とほぼ同様の方式であり、複数のチャンネルのビデオ番組を提供する。
【００９４】
又、ＶＯＤ情報は、ＶＯＤ番組画像に付属して供給されるものであって、ＶＯＤ番組画像の作品情報であるＶＯＤ作品情報と、ＶＯＤ番組画像を提供するビデオ配信サーバ３１７に接続する場合に必要とされる情報パッケージであるＶＯＤサーバー情報と、現在ＶＯＤ番組画像によって配信されている作品をビデオ配信サーバ３１７から取得する場合に必要とされる格納箇所の情報であるＶＯＤファイル情報と、現在ＶＯＤ番組画像によって配信されている作品をビデオ配信サーバ３１７から取得する場合に必要とされる課金の情報である料金情報と備えている。このＶＯＤ情報は、サテライト装置３１１で利用可能なディジタルデータで供給される。従って、このＶＯＤ情報を受信することで、現在ＶＯＤ番組画像として供給を受けているビデオ画像の取得に必要とされる情報の表示が可能になる。
【００９５】
このように複数チャンネルのビデオ番組のＶＯＤ情報と、ＶＯＤ番組画像とを受信するサテライト装置３１１は、サテライトシステム２３３とほぼ同様の機能を提供する構成を備えている。
【００９６】
このサテライト装置３１１では、図示しない放送受信機がテレビ受像器３０３に表示するビデオ番組チャンネルの選択を実行する。このビデオ番組チャンネルの選択は、リモコン装置３１９を操作することにより実行可能である。このビデオ番組チャンネルの選択の処理に関しては、詳細な説明は省略する。
【００９７】
この様にビデオ番組チャンネルの選択が行われると、選択されたビデオ番組の提供をサテライト用ビデオ番組供給装置３１５から受ける処理を実行する。この処理では、選択されたビデオ番組が放送型式であれば、放送のＶＯＤ番組画像と、ＶＯＤ情報とをサテライト用ビデオ番組供給装置３１５から受信し、選択されたビデオ番組がＶＯＤ型式であれば、選択されたビデオ番組のＶＯＤ番組画像と、ＶＯＤ情報とを最初から受信する処理を行う。
尚、サテライト用ビデオ番組供給装置３１５は、図１、図２、図３に基づいて説明したのとほぼ同様に、画像情報記憶手段３、１０３、２０３と、画像特定情報記憶手段５、１０５、２０５に相当する図示しないデータベースからＶＯＤ番組画像と、ＶＯＤ情報との供給を受ける。
【００９８】
次ぎに、ビデオ番組の提供を受けた後の処理を説明する。
提供を受けたＶＯＤ番組画像は、テレビ受像器３０３の画面３０５に表示する処理を行う。ここでは、画面３０５の図示しないビデオメモリに書き込む処理を行うことで、ＶＯＤ番組画像が画面３０５に表示されるようにする。このビデオメモリの格納情報が、画面３０５の表示内容にそのまま反映されるように、構成されている。
【００９９】
又、提供を受けたＶＯＤ情報は、図示しないＭＰＵで実行される図７に示すサテライトＶＯＤ情報作成処理ルーチンのフローチャートによって、利用される。
以下に、このサテライトＶＯＤ情報作成処理に則って、説明する。
【０１００】
サテライトＶＯＤ情報作成処理では、まずＶＯＤ番組画像に付属するＶＯＤ作品情報と、ＶＯＤサーバー情報と、ＶＯＤファイル情報と、料金情報の入力を行う（Ｓ１００）。
次いで、画面３０５の所有者の情報や画面３０５にＶＯＤ番組画像を映している者の情報などの表示媒体情報の入力を行って（Ｓ１１０）、ＶＯＤ番組画像の初期位置からの経過時間、又はチャプター情報に基づいて、ＶＯＤ開始位置情報作成を行う（Ｓ１２０）。ＶＯＤ番組画像の初期位置からの経過時間に基づく作成は、全ての場合に行う。チャプター情報に関しては、Ｓ１００の処理で読み込んだ情報中にチャプター情報が含まれている場合に、利用する。チャプター情報を利用することで、シーン毎の頭出しが可能になる。経過時間を利用することで、視聴位置からの続きを見ることが可能になる。
【０１０１】
次いで、Ｓ１００ないしＳ１２０によって得た情報に基づいて、ＶＯＤ作品情報、ＶＯＤサーバー情報、ＶＯＤファイル情報、ＶＯＤ開始位置情報、料金情報、表示媒体情報からなるサテライトＶＯＤ情報の生成を行う（Ｓ１３０）。
【０１０２】
次ぎに、サテライトＶＯＤ情報を含むＶＯＤ情報図柄、ここでは所定の規格の２次元バーコード図柄＋テキストの画像情報を作成（Ｓ１４０）し、そのＶＯＤ情報図柄を画面３０５の図示しないビデオメモリの所定アドレス、ここでは、図５に示すように、画面３０５の右下位置にＶＯＤ情報図柄３２１書き込む処理を行うことで、ＶＯＤ情報図柄３２１が画面３０５に表示されるようにする（Ｓ１５０）。これにより、図５に示すように、２次元バーコード図柄部３２３と、テキスト図柄部３２５とからなるＶＯＤ情報図柄３２１が、画面３０５に表されるようになる。
【０１０３】
この様に表示されるＶＯＤ情報図柄３２１の２次元バーコード図柄部３２３は、ＶＯＤ作品情報、ＶＯＤサーバー情報、ＶＯＤファイル情報、ＶＯＤ開始位置情報、料金情報、表示媒体情報を含み、テキスト図柄部３２５は、ＶＯＤ作品情報、料金情報を含む。従って、画面３０５を目で見ることで、ＶＯＤ作品情報と、料金情報とを知ることが可能になる。
【０１０４】
又、２次元バーコード図柄部３２３を光学的に読み取って、復号化することで、ＶＯＤ作品情報、ＶＯＤサーバー情報、ＶＯＤファイル情報、ＶＯＤ開始位置情報、料金情報、表示媒体情報を抽出することが可能になる。
【０１０５】
図８は、図４に示す携帯電話機３２７の図示しないＭＰＵによって実行されるＶＯＤ情報抽出処理ルーチンのフローチャートである。
このＶＯＤ情報抽出処理は、携帯電話機３２７のアプリケーション処理として、起動される。
【０１０６】
このＶＯＤ情報抽出処理が起動されると、先ず、図示しないカメラの撮像画像を取り込んで、その撮像画像にＶＯＤ情報図柄があれば、そのＶＯＤ情報図柄を取り込むＶＯＤ情報画像取込処理を実行する（Ｓ２００）。このＶＯＤ情報画像取込処理により、図５に示した２次元バーコード図柄部３２３を携帯電話機３２７で撮像すると、現時点の２次元バーコード図柄部３２３の画像が読み込まれる。従って、この現時点の２次元バーコード図柄部３２３の画像を復号化することで、ＶＯＤ作品情報、ＶＯＤサーバー情報、ＶＯＤファイル情報、ＶＯＤ開始位置情報、料金情報、表示媒体情報を抽出することが可能になる。
【０１０７】
この処理が、Ｓ２１０のＶＯＤ作品情報、ＶＯＤサーバー情報、ＶＯＤファイル情報、ＶＯＤ開始位置情報、料金情報、表示媒体情報の抽出処理である。
ここで、これらの情報の抽出が成功すると、その抽出した情報を携帯電話機３２７のディスプレイ３２９に表示する処理を行う（Ｓ２２０）。
【０１０８】
例えば、ディスプレイ３２９には、図９の（Ａ）に示す一般ニュースの抽出情報や、図９の（Ｂ）に示すスポーツニュースの抽出情報、ここでは、ＶＯＤ作品情報３３１と、料金情報３３３とが表示される。この抽出した情報の表示は、所定時間経過後、或いは何れかの図示しないキーが操作されるまで継続される。抽出した情報表示の継続が終了した時点で、Ｓ２００の処理が新たな２次元バーコード図柄部３２３の画像を読み込めば、再度Ｓ２１０の処理、Ｓ２２０の処理が行われ、その時点の抽出した情報の表示が行われる。
【０１０９】
通常、連続して、同一の２次元バーコード図柄部３２３の画像を撮像していたとしても、ＶＯＤ開始位置情報が経時的に更新されているため、Ｓ２１０の処理によって抽出した情報は、更新され続けることになる。
【０１１０】
この様な抽出情報の表示後、ＶＯＤメニューの表示が行われる（Ｓ２３０）。
ＶＯＤメニューは、ディスプレイ３２９に、図１０に示すように、表示される。例えば、ＶＯＤメニューのメニュー項目として、ＶＯＤ作品情報３３５と、継続視聴の選択メニュー項目３３７と、初めからの視聴の選択メニュー項目３３９と、後で決めることの選択メニュー項目３４１と、抽出情報の破棄の項目３４３と、以前に記憶しておいた情報を利用するメニュー項目３４５とが表示される。
【０１１１】
これらの各項目３３７ないし３４５は、図示しないキー操作により選択可能に構成されている。この選択方式は、慣用される色々な方式の利用が可能である。例えば、直接数値を入力したり、カーソル移動で選択したりする。詳細な説明は省略する。
【０１１２】
このＶＯＤメニューの表示後（Ｓ２３０）、その選択を入力し（Ｓ２４０）、その選択結果で以後の処理の振り分けを行う（Ｓ２５０）。この振り分けでは、ＶＯＤメニューの、後で決めることの選択メニュー項目３４１の選択、又は抽出情報の破棄の項目３４３があった場合には、抽出情報を格納する処理を実行し（Ｓ２６０）、ＶＯＤメニューの継続視聴の選択メニュー項目３３７と、初めからの視聴の選択メニュー項目３３９の選択があった場合には、詳細を後述するＶＯＤ処理を実行し（Ｓ２７０）、ＶＯＤメニューの、後で決めることの選択メニュー項目３４１の選択、抽出情報の破棄の項目３４３の選択、ＶＯＤメニューの継続視聴の選択メニュー項目３３７、および初めからの視聴の選択メニュー項目３３９の選択の何れでもない選択、ここでは、以前に記憶しておいた情報を利用するメニュー項目３４５の選択が行われた場合には、詳細を後述する記憶情報利用処理を実行する（Ｓ２８０）。
【０１１３】
先ず、抽出情報を格納する処理では（Ｓ２６０）、Ｓ２１０によって抽出したＶＯＤ作品情報、ＶＯＤサーバー情報、ＶＯＤファイル情報、ＶＯＤ開始位置情報、料金情報、表示媒体情報を図示しないメモリに格納して、後刻利用可能な状態にする処理を行う。
【０１１４】
次ぎに、Ｓ２７０によって実行されるＶＯＤ処理の詳細を図１１のフローチャートに基づいて説明する。
ＶＯＤメニューの、継続視聴の選択メニュー項目３３７と、初めからの視聴の選択メニュー項目３３９の選択があった場合に実行されるＶＯＤ処理（Ｓ２７０）では、先ず、図１１に示すように、継続視聴の選択メニュー項目３３７の選択があったか、初めからの視聴の選択メニュー項目３３９の選択があったかを判断し（Ｓ３００）、初めからの視聴の選択メニュー項目３３９の選択があった場合には、ＶＯＤ作品情報、ＶＯＤサーバー情報、ＶＯＤファイル情報、ＶＯＤ開始位置情報（先頭）、料金情報、表示媒体情報等からなるＶＯＤ情報からフルバージョン提供用のＶＯＤサービス享受用データ作成を行い（Ｓ３１０）、その作成したフルバージョン提供用のＶＯＤサービス享受用データを送信するＶＯＤサーバにサービス供給要求送信処理を実行する（Ｓ３２０）。ここで実行されるＶＯＤサーバにサービス供給要求送信処理は、図２の取得申込情報送信手段１１７から取得申込情報受信手段１１９に送信される取得申込情報に相当する信号を送信する処理である。
【０１１５】
ここでは、以下のような処理が行われる。
先ず、Ｓ３１０にて作成されたＶＯＤ情報のＶＯＤサーバー情報に基づいて、ＶＯＤサーバーを決定する。携帯電話機３２７でアクセス可能なＶＯＤサーバである必要がある。もしなければ、携帯電話機３２７によるアクセスは、出来ない。
【０１１６】
仮に、携帯電話機３２７によってアクセスが可能なＶＯＤサーバーが複数有る場合には、ＶＯＤ情報のＶＯＤサーバー情報に基づいて、サービス供給要求信号を送信する先を決定する。
【０１１７】
次いで、決定したＶＯＤサーバーにサービス供給要求信号を送信する処理を実行する。例えば、ＶＯＤサーバーへの送信方法としては、ＩＰアドレスによって行うか、或いは識別番号によって行う。これらは、設計事項である。
【０１１８】
このＶＯＤサーバーにサービス供給要求信号を送信すると、後述する処理によって、ＶＯＤサービスが提供され、携帯電話機３２７のディスプレイ３２９にＶＯＤのビデオ番組を表示するＶＯＤサービス実行処理が実行される（Ｓ３３０）。つまり、サービス供給要求信号によって要求したビデオ番組が最初の部分からビデオ配信サーバ３１７のビデオ配信装置３４７から送信されてきて、携帯電話機３２７のでディスプレイ３２９に表示され、これを見ることが可能になる。
【０１１９】
一方、継続視聴の選択メニュー項目３３７の選択があったと判断した場合は（Ｓ３００）、継続視聴用のＶＯＤ作品情報、ＶＯＤサーバー情報、ＶＯＤファイル情報、ＶＯＤ開始位置情報（続き）、料金情報、表示媒体情報等からなるＶＯＤ情報から続き提供用のＶＯＤサービス享受用データ作成を行い（Ｓ３４０）、既述したＳ３２０のＶＯＤサーバにサービス供給要求送信処理と、ＶＯＤサービス実行処理とが実行される（Ｓ３３０）。これにより、サービス供給要求信号によって要求したビデオ番組が続きの部分からビデオ配信サーバ３１７のビデオ配信装置３４７から送信されてきて、携帯電話機３２７のでディスプレイ３２９に表示され、これを見ることが可能になる。
【０１２０】
次ぎに、図１２のサービス供給要求受信処理ルーチンのフローチャートに基づいて、ビデオ配信装置３４７によって行われる処理を説明する。
図１１のサービス供給要求送信処理（Ｓ３２０）によって、サービス供給要求信号の送信を受け、図１２に示すサービス供給要求受信処理が起動される。
【０１２１】
このサービス供給要求受信処理では、まずＶＯＤファイル情報、ＶＯＤ開始位置情報、料金情報、利用者情報、表示媒体情報を有するサービス供給要求信号を受信するＶＯＤクライアントからサービス供給要求受信処理を実行し（Ｓ４００）、その受信したサービス供給要求信号に基づいて、以後順に、利用者管理処理（Ｓ４１０）、表示媒体情報管理処理（Ｓ４２０）、ＶＯＤサービス提供処理（Ｓ４３０）を実行する。
【０１２２】
先ず実行する利用者管理処理（Ｓ４１０）では、送信されてきたサービス供給要求信号の適格チェックと、課金処理とを行う。最初のサービス供給要求信号の適格チェックでは、サービス供給要求信号が利用者データベース３５１に利用者として登録されているものから送信されてきたかを判断する処理であり、慣用されているＩＤやパスワードを利用した利用者確認処理によって実行される。尚、ここで、利用者データベース３５１に利用者として登録されていない場合には、詳細な説明は省略するが利用者登録を催告する処理を実行し、応じれば、利用者登録を実行する。利用者登録の手法は、慣用されている色々な方法の利用が可能である。例えば、携帯電話機３２７の登録情報を利用して、利用者登録を行う方法や、利用者登録に必要な情報の入力を求めて、その入力に基づいて、利用者登録を行う方法等の採用が可能である。
【０１２３】
利用者の適格チェックが完了すると、課金処理を行うが、この課金処理は、料金情報に基づいて、予め定められた手順での課金の実行を準備する処理である。
例えば、Ｓ４００にて受信した料金情報が無料であれ、無料でＳ４３０のＶＯＤサービス提供処理が行われるように設定する。
【０１２４】
又、料金情報に有料の課金情報が設定されている場合には、その設定されている料金の課金が行われるように設定する。尚、例えば、会員登録の種類に応じて、基本料金内での無料利用の設定などは、図示しない会員管理処理によって、処理する。
【０１２５】
尚、課金に関する情報は、会員利用情報データベース３５３に記録される。この会員利用情報データベース３５３は、会員毎に利用状況や課金情報などを記録管理するデータベースあって、Ｓ４３０のＶＯＤサービス提供処理や図示しない会員管理処理などによって、利用される。
【０１２６】
表示媒体情報管理処理（Ｓ４２０）では、テレビ受像器３０３の所有者の情報を入力して、表示媒体データベース３５５に格納する処理を行う。例えば、課金が伴うサービス供給要求受信信号を入力した場合に、その課金の一部分を返戻金として提供する処理を行う。
【０１２７】
この様にすることで、ＶＯＤ情報図柄３２１の表示先の拡充を行う。尚、返戻金は、定額や従量金額など色々な方式での決定が可能である。
ＶＯＤサービス提供処理では、サービス供給要求信号によって要求されたビデオ番組を、ビデオ画像データベース３５７内のＶＯＤファイル情報に示されているファイルのＶＯＤ開始位置情報に示されている開始位置からサービス供給要求信号を送信した携帯電話機３２７等に送信すると共に、その送信によって発生した課金情報を会員利用情報データベース３５３に格納する処理が行われる。尚、送信するビデオ番組のビデオ画像の属性や型式、及び画像サイズなどは、サービス供給要求信号に付属して送信されてきた図示しないビデオ画像規格信号に基づいて、決定される。例えば、ビデオ画像規格信号が電波形式が○○の携帯電話機３２７用の規格であれば、その規格に合わせたビデオ画像を送信し、例えば、有線のネットワークに接続されたビデオ機器用の最高品質のビデオ画像を要求するものであれば、その規格に合わせたビデオ画像を送信する。
【０１２８】
このＶＯＤサービス提供処理によって送信されたビデオ番組は、例えば、図１１のＳ３３０に示したＶＯＤサービス実行処理によって受信され、例えば、携帯電話機３２７のディスプレイ３２９に表示される。尚、音響情報がある場合には、音響も携帯電話機３２７に伝えられ、再生される。尚、ビデオ画像データベース３５７は概念的に１つで示したが、これはどの様な型式のものであっても良い。例えば、複数の機器から構成されていたり、複数の箇所にあったり、複数の所有者や管理者から構成されているなど色々な構成で利用される。
【０１２９】
次ぎに、図８のＳ２５０で、ＶＯＤメニューの、後で決めることの選択メニュー項目３４１の選択、抽出情報の破棄の項目３４３の選択、ＶＯＤメニューの継続視聴の選択メニュー項目３３７、および初めからの視聴の選択メニュー項目３３９の選択の何れでもない選択、ここでは、以前に記憶しておいた情報を利用するメニュー項目３４５の選択が行われた場合の記憶情報利用処理（Ｓ２８０）を、図１３に基づいて説明する。
【０１３０】
先ず、記憶情報利用メニューを携帯電話機３２７のディスプレイ３２９に表示する（Ｓ５００）。この記憶情報利用メニューは、図１４の（Ａ）に示すように、記憶一覧（ＶＯＤ実行）選択項目３６１と、記憶一覧（外部出力）選択項目３６３と、終了選択項目３６５とを備えている。ここで終了選択項目３６５の選択が行われると、図１３の記憶情報利用処理がそのまま一旦終了される。尚、この終了にいたる処理の図示は省略する。
【０１３１】
先ず、記憶一覧（ＶＯＤ実行）選択項目３６１が選択された場合を説明する。
ここで、記憶一覧（ＶＯＤ実行）選択項目３６１が選択されたことが、ＶＯＤ実行かの判断処理（Ｓ５１０）で検出されると、次ぎに、図８のＳ２６０の抽出情報を格納処理によって、携帯電話機３２７内の図示しないメモリに格納された抽出情報の記憶情報を読み込む記憶情報読込処理を行って（Ｓ５２０）、読み込んだ抽出情報の記憶情報をディスプレイ３２９に一覧表示する処理を行い（Ｓ５３０）、その一覧からの選択があったかを判断する処理を実行する（Ｓ５４０）。Ｓ５３０の記憶情報一覧表示の実行によって、例えば、図１４の（Ｂ）に示すように抽出情報の記憶情報の一覧の選択項目３６７が表示される。図１４では、５個の記憶情報の選択項目３６７と、終了選択項目３６９との表示例が示されている。
【０１３２】
ここで、例えば、５個の記憶情報の選択項目３６７、又は終了選択項目３６９の何れかの選択が行われる場合まで、Ｓ５３０、Ｓ５４０の処理が繰り返される。
ここで、終了選択項目３６９が選択されれば、図１３の記憶情報利用処理が一旦終了される。
【０１３３】
一方、記憶情報の選択項目３６７の何れかが選択されれば、選択された抽出情報のサービス供給要求信号の送信を行う詳細を図１１に基づいて既述したＶＯＤ処理を実行して、本記憶情報利用処理を一旦終了する。
【０１３４】
このＳ５００ないしＳ５５０の処理により、記憶情報の選択項目３６７から選択したビデオ番組のサービス供給要求信号をビデオ配信サーバ３１７のビデオ配信装置３４７に送信して、その要求したビデオ番組の送信を受けることが可能になる。
【０１３５】
つまり、画面３０５に表示されたＶＯＤ情報図柄３２１を読み取って、記憶しておいた抽出情報を後から読み出して、利用し、例えば、ビデオ番組を読み込んで見ることが可能になる。
【０１３６】
次ぎに、Ｓ５１０で、記憶一覧（外部出力）選択項目３６３が選択された場合を説明する。
ここで、記憶一覧（外部出力）選択項目３６３が選択されたことが、ＶＯＤ実行かの判断処理（Ｓ５１０）で検出されると、次ぎに、図８のＳ２６０の抽出情報を格納処理によって、携帯電話機３２７内の図示しないメモリに格納された抽出情報の記憶情報を読み込む記憶情報読込処理を行って（Ｓ５６０）、読み込んだ抽出情報の記憶情報をディスプレイ３２９に一覧表示する処理を行い（Ｓ５７０）、その一覧からの選択があったかを判断する処理を実行する（Ｓ５８０）。Ｓ５７０の記憶情報一覧表示の実行によって、例えば、図１４の（Ｂ）に示すように抽出情報の記憶情報の一覧の選択項目３６７とほぼ同様な表示（図示省略）が行われる。
【０１３７】
ここで、記憶情報の選択項目３６７の何れかが選択されれば、選択された抽出情報を外部に出力する図１５に詳細を示す外部出力処理（Ｓ５９０）を実行して、本記憶情報利用処理を一旦終了する。
【０１３８】
外部出力処理では、図１５に示すように、先ず、ＶＯＤ作品情報、ＶＯＤサーバー情報、ＶＯＤファイル情報、ＶＯＤ開始位置情報（先頭）、料金情報、表示媒体情報等からなるＶＯＤ情報からフルバージョン提供用のＶＯＤサービス享受用データ作成を行い（Ｓ６００）、その作成したフルバージョン提供用のＶＯＤサービス享受用データを携帯電話機３２７の図示しない赤外線信号出力ポートから、図１６に示すようなネットワーク情報機器３７１の赤外線信号入力ポート３７３に送信するＶＯＤ情報送信処理（Ｓ６１０）を実行して、本外部出力処理を一旦終了する。
【０１３９】
尚、携帯電話機３２７は、図示しない赤外線出力ポートにＶＯＤサービス享受用データを出力する図示しない構成を備える。この機能は、現在慣用されている携帯電話機３２７間の情報交換方法とほぼ同様の構成である。詳細な説明は、省略する。
【０１４０】
又、ネットワーク情報機器３７１は、例えば、インターネットなどのブロードバンド回線３７５に接続する機能と、赤外線信号入力ポート３７３から所定の信号、例えば、ＶＯＤサービス享受用データを入力して利用する構成と、テレビ受像器３７７にビデオ番組を表示する構成を備える。尚、このようなネットワーク情報機器３７１は、コンピュータであったり、テレビ受像器であったり、ゲーム機であったり、ビデオレコーダであったりなど、どの様な形態であっても良い。又、ブロードバンド回線３７５も有線や無線などどの様な形態であっても良い。
【０１４１】
次ぎに図１５の外部出力処理によって送信されたＶＯＤサービス享受用データを受信する処理を説明する。
図１７は、ネットワーク情報機器３７１の図示しないＭＰＵによって実行される処理である。
【０１４２】
先ず、ＶＯＤ情報受信処理を行い（Ｓ７００）、次いで、その受信したＶＯＤサービス享受用データを送信するＶＯＤサーバにサービス供給要求送信処理を実行する（Ｓ７１０）。ここで実行されるＶＯＤサーバにサービス供給要求送信処理は、既述したＳ３２０の処理とほぼ同様である。
【０１４３】
これにより、Ｓ７００にて受信したＶＯＤ情報のＶＯＤサーバー情報に基づいて、ＶＯＤサーバーが決定され、決定したＶＯＤサーバーにサービス供給要求信号が送信される。
このＶＯＤサーバーにサービス供給要求信号を送信すると、図１２に基づいて、既述したサービス供給要求受信処理によって、ＶＯＤサービス提供（Ｓ４３０）が行われ、ビデオ番組が返信されて来る。
【０１４４】
この返信をＶＯＤサービス実行処理によって受け（Ｓ７２０）、テレビ受像器３７７にその受信したビデオ番組の表示が実行される。
これにより、サービス供給要求信号によって要求したビデオ番組がビデオ配信サーバ３１７のビデオ配信装置３４７から送信されてきて、テレビ受像器３７７によって、これを見ることが可能になる。
【０１４５】
尚、図示しないが、この場合にもＶＯＤ開始位置情報に基づいて、続きから見るか、初めから見るかの選択が可能な構成を有する。
このＳ５１０、Ｓ５６０ないしＳ５９０の処理により、携帯電話機３２７に記憶されている記憶情報の選択項目３６７から選択したビデオ番組のサービス供給要求信号を携帯電話機３２７からネットワーク情報機器３７１に転送して、その転送を受けたネットワーク情報機器３７１の機能を活用して、ビデオ配信サーバ３１７のビデオ配信装置３４７に送信して、その要求したビデオ番組のＶＯＤ配信を受けることが可能になり、通信コストや通信品質で利点があり、大画像の表示機能で利点があるテレビ受像器３７７を活用した上で、ＶＯＤ情報図柄３２１に基づくビデオ番組のＶＯＤ配信を受けることが可能になるという極めて便利で、かつ利用価値の高いＶＯＤシステムの提供が可能になると言う効果を奏する。
【０１４６】
つまり、画面３０５に表示されたＶＯＤ情報図柄３２１を読み取って、記憶しておいた抽出情報を後から読み出して、利用し、例えば、ビデオ番組を読み込んで見ることが可能になる。
【０１４７】
尚、図４に示したテレビ受像器３０３の画面３０５に表示されたＶＯＤ情報図柄３２１を、携帯電話機３２７によって読み取って、ビデオ番組のＶＯＤ配信を受けることに代えて、図６に示すように、タクシー３０７に設置されたテレビ受像器３０９にＶＯＤ情報図柄３８１を表示し、これを携帯電話機３２７によって読み取って、ビデオ番組のＶＯＤ配信を受ける様にしても良い。
【０１４８】
尚、この場合には、図４に示した据え置き型のサテライト装置３１１に代えて、車載用のサテライト装置３８３を利用する。
このサテライト装置３８３は、大容量のストレージ装置３８５と、無線回線３８７と、利用装置３８９とを備え、この無線回線３８７を利用して、光ケーブルなどのネットワーク配線３１３を利用するサテライト装置３１１とほぼ同様の動作を行う構成と、ストレージ装置３８５に予め格納しておいたＶＯＤ番組画像と、ＶＯＤ情報とに基づいて、テレビ受像器３０９にビデオ画像と、ＶＯＤ情報図柄３８１とを表示するようにしても良い。
【０１４９】
この様にすることで、無線回線３８７を利用することなく、ビデオ画像と、ＶＯＤ情報図柄３８１とを表示することが出来、有限で、高価な無線回線３８７の使用頻度を低減することが可能になる。
【０１５０】
又、無線回線３８７を常時利用することなく、ビデオ番組などの広報が十分に出来、車載に適したシステムの提供が可能になるという効果を奏する。
以上に説明した画像情報供給システム１は、テレビ受像器３０３の画面３０５などの画像表示手段７に表示されたビデオ番組画像４３を取得するために利用する提供情報の２次元バーコード４５（ＶＯＤ情報図柄３２１）を、携帯電話機３２７等のクライアントシステム３５で読み取って、復号し、その復号化した提供情報に基づいて作成した取得申込情報をビデオ配信サーバ３１（ビデオ配信サーバ３１７）に送信することで、その取得申込情報に対応するビデオ番組が返信されてくる。
【０１５１】
例えば、返信されてくるビデオ番組は、２次元バーコード４５（ＶＯＤ情報図柄３２１）を読み取ったときのビデオ番組画像４３に関連するもの、例えば、読み取ったときの続きや読み取ったときのキャプチャーの先頭、或いはビデオ番組の先頭からである。例えば、ニュースなどでは、ニュース番組の最初から、或いは、事件の初めから、返信される。
【０１５２】
又、ドラマなどでは、シーンの先頭、つまりキャプチャーの先頭から、或いはドラマの頭から返信される。
尚、これらは、クライアントシステム３５によって、選択される。
【０１５３】
これら返信されてきたビデオ番組は、携帯電話機３２７のディスプレイ３２９に表示される。
又、画像情報供給システム１０１、２０１もほぼ同様である。
【０１５４】
この結果、画像情報記憶手段３に格納されているビデオ番組の広報用の画像を利用して、簡単にその画像に関連するビデオ画像を入手することが出来るようになり、画像情報記憶手段３に格納されているビデオ番組の利用の促進を図ることが出来るという極めて優れた効果を奏する。
【０１５５】
又、画像情報供給システム１０１は、サテライトシステム１３３（サテライト装置３８３）のテレビ受像器３０９などの画像表示手段１０７に表示されているビデオ番組画像１４３を取得するために利用するビデオ番組の提供情報の２次元バーコード１４５をクライアントシステム１３５で読み取って、ビデオ番組の返信を受け、表示することが出来ると共に、有線や無線のネットワーク接続が難しい環境、例えば、タクシー３０７などの車両でもストレージ装置３８５などに構成される第２画像情報記憶手段１５３と、第２画像特定情報記憶手段１５７とを利用して、画像表示手段１０７に、ビデオ番組画像１４３と、このビデオ番組画像１４３を取得するために利用するビデオ番組の提供情報の２次元バーコード１４５（ＶＯＤ情報画像３８１）と表示することが出来る。
【０１５６】
これにより、有線や無線のネットワーク接続が難しい環境、例えば、タクシー３０７などの車両でもビデオ配信サーバ１３１に格納されているビデオ番組などの広報が出来、ビデオ配信サーバ１３１に格納されているビデオデータ資源の有効活用を図ることが出来るという効果を奏する
又、画像情報供給システム２０１は、画像情報供給システム１、１０１と同様に、ビデオ配信サーバ２３１に格納されているビデオデータ資源の有効活用を図ることが出来る。
【０１５７】
しかも、携帯電話機３２７などの第１クライアントシステム２３５で取得したビデオ番組の提供情報の転送、例えば、赤外線信号による転送を例えば、自宅に設置してあるネットワーク情報機器３７１などの第２クライアントシステム２８１で受け、この転送を受けたビデオ番組の提供情報に基づいて、ビデオ番組画像を取得して、テレビ受像器３７７に表示することが出来る。
【０１５８】
この様に自宅に設置してあるブロードバンド回線３７５に接続されたネットワーク情報機器３７１などの第２クライアントシステム２８１、例えば、ネットワーク機能を有するビデオ機器や、テレビで、画像表示手段２０７に表示されていたビデオ番組の提供情報の２次元バーコード２４５から抽出した提供情報を簡単に利用することが出来るようになり、利用者の利便性が向上されると共に、より多くビデオ配信サーバ２３１に格納されているビデオデータ資源の有効活用を図ることが出来るという効果を奏する。
【０１５９】
尚、本発明は、上記実施例に限定されるものでなく様々な態様の実施が可能である。
例えば、テレビ放送などのブロードキャストで、ビデオ番組を宣伝し、その宣伝中に提供情報を表示し、その提供情報を読み取って、宣伝されていたビデオ番組をＶＯＤで取得可能な構成にしても良い。
【０１６０】
或いは、雑誌、ポスター、看板などの静止画提供媒体に、１つ、或いは複数のビデオ番組の１シーンの宣伝画像を印刷すると共に、その印刷されたシーン用の提供情報をも印刷しておいて、その提供情報を読み取って、宣伝されていたビデオ番組をＶＯＤで取得可能な構成にしても良い。
【図面の簡単な説明】
【０１６１】
【図１】画像情報供給システム１の構成図である。
【図２】画像情報供給システム１の改良型の画像情報供給システム１０１の構成図である。
【図３】画像情報供給システム１０１の改良型の画像情報供給システム２０１の構成図である。
【図４】駅や通路などのホール３０１に設置されたテレビ受像器３０３の正面図である。
【図５】テレビ受像器３０３の画面３０５の一部分の説明図である。
【図６】タクシー３０７に設置されたテレビ受像器３０９の正面図である。
【図７】サテライトＶＯＤ情報作成処理ルーチンのフローチャートである。
【図８】ＶＯＤ情報抽出処理ルーチンのフローチャートである。
【図９】ディスプレイ３２９の表示の説明図である。
【図１０】ＶＯＤメニューの説明図である。
【図１１】ＶＯＤ処理ルーチンのフローチャートである。
【図１２】サービス供給要求受信処理ルーチンのフローチャートである。
【図１３】記憶情報利用処理ルーチンのフローチャートである。
【図１４】記憶情報利用メニューの説明図である。
【図１５】外部出力処理ルーチンのフローチャートである。
【図１６】ＶＯＤ情報送信処理の説明図である。
【図１７】外部入力処理ルーチンのフローチャートである。
【符号の説明】
【０１６２】
１…画像情報供給システム、３…画像情報記憶手段、５…画像特定情報記憶手段、
７…画像表示手段、９…画像作成手段、１１…画像提供情報作成手段、
１３…提供画像表示手段、１５…取得申込情報作成手段、１７…取得申込情報送信手段、
１９…取得申込情報受信手段、２１…画像情報特定手段、２３…画像情報送信手段、
２５…画像情報受信手段、２７…画像情報表示手段、３１…ビデオ配信サーバ、
３３…サテライトシステム、３５…クライアントシステム、３７…ネットワーク、
３９…光学画像、４１…ネットワーク、４３…ビデオ番組画像、
４５…２次元バーコード、１０１…画像情報供給システム、１０３…画像情報記憶手段、
１０５…画像特定情報記憶手段、１０７…画像表示手段、１０９…画像作成手段、
１１１…画像提供情報作成手段、１１３…提供画像表示手段、
１１５…取得申込情報作成手段、１１７…取得申込情報送信手段、
１１９…取得申込情報受信手段、
１２１…画像情報特定手段、１２３…画像情報送信手段、１２５…画像情報受信手段、
１２７…画像情報表示手段、１３１…ビデオ配信サーバ、１３３…サテライトシステム、
１３５…クライアントシステム、１３７…ネットワーク、１４１…ネットワーク、
１４３…ビデオ番組画像、１４５…２次元バーコード、１５１…ディスプレイ、
１５３…第２画像情報記憶手段、１５５…第２画像作成手段、
１５７…第２画像特定情報記憶手段、１５９…第２画像提供情報作成手段、
１６１…第２提供画像表示手段、１６３…利用者情報記憶手段、
１６５…画像情報記憶手段、１６７…記憶画像情報表示手段、
２０１…画像情報供給システム、２０３…画像情報記憶手段、
２０５…画像特定情報記憶手段、２０７…画像表示手段、
２０９…画像作成手段、２１１…画像提供情報作成手段、
２１３…提供画像表示手段、２１５…第１取得申込情報作成手段、
２１７…第１取得申込情報送信手段、
２１９…第１取得申込情報受信手段、２２１…画像情報特定手段、
２２３…画像情報送信手段、２２５…画像情報受信手段、
２２７…画像情報表示手段、２３１…ビデオ配信サーバ、２３３…サテライトシステム、
２３５…第１クライアントシステム、２３７…ネットワーク、２４１…ネットワーク、
２４３…ビデオ番組画像、２４５…２次元バーコード、２５１…ディスプレイ、
２５３…第２画像情報記憶手段、２５５…第２画像作成手段、
２５７…第２画像特定情報記憶手段、
２５９…第２画像提供情報作成手段、２６１…第２提供画像表示手段、
２６３…第１利用者情報記憶手段、２６３…利用者情報記憶手段、
２６５…画像情報記憶手段、２６７…記憶画像情報表示手段、
２７１…第２取得申込情報作成手段、２７３…第２取得申込情報送信手段、
２７５…第２利用者情報記憶手段、２７７…第２取得申込情報受信手段、
２８１…第２クライアントシステム、２８３…ネットワーク、
３０１…ホール、３０３…テレビ受像器、３０５…画面、
３０７…タクシー、３０９…テレビ受像器、３１１…サテライト装置、
３１３…ネットワーク配線、３１５…サテライト用ビデオ番組供給装置、
３１７…ビデオ配信サーバ、
３１９…リモコン装置、３２１…ＶＯＤ情報図柄、３２３…２次元バーコード図柄部、
３２５…テキスト図柄部、３２７…携帯電話機、３２９…ディスプレイ、
３３１…ＶＯＤ作品情報、３３３…料金情報、３３５…ＶＯＤ作品情報、
３３７…選択メニュー項目、３３９…選択メニュー項目、
３４１…選択メニュー項目、３４３…項目、３４５…メニュー項目、
３４７…ビデオ配信装置、３５１…利用者データベース、
３５３…会員利用情報データベース、
３５５…表示媒体データベース、３５７…ビデオ画像データベース、３６１…選択項目、
３６３…選択項目、３６５…終了選択項目、３６７…選択項目、
３６９…終了選択項目、３７１…ネットワーク情報機器、
３７３…赤外線信号入力ポート、３７５…ブロードバンド回線、３７７…テレビ受像器、
３８１…ＶＯＤ情報図柄、３８３…サテライト装置、３８５…ストレージ装置、
３８７…無線回線、３８９…利用装置
【図１】
2006333332.tif 000003
【図２】
2006333332.tif 000004
【図３】
2006333332.tif 000005
【図４】
2006333332.tif 000006
【図５】
2006333332.tif 000007
【図６】
2006333332.tif 000008
【図７】
2006333332.tif 000009
【図８】
2006333332.tif 000010
【図９】
2006333332.tif 000011
【図１０】
2006333332.tif 000012
【図１１】
2006333332.tif 000013
【図１２】
2006333332.tif 000014
【図１３】
2006333332.tif 000015
【図１４】
2006333332.tif 000016
【図１５】
2006333332.tif 000017
【図１６】
2006333332.tif 000018
【図１７】
2006333332.tif 000019